(57)【要約】【課題】検体の採取、収容及び取り出し及びスメアが容易で、保管スペースが少なくてすむ水密性の検査用検体容器を提供する。【解決手段】広口形の開口部３と逆円錐台形の胴部４とを有する容器本体１と、前記開口部３に着脱自在に冠着されるキャップ形の蓋２とを具備し、前記開口部３の内径Ｄを５０〜１００mmに設定するとともに、前記容器本体１の深さＨを２０〜５０mmに設定してなり、前記蓋２の天板３２の内側下面にＵ字形の断面形状を有する二重円筒状のシール部３４が形成され、該シール部３４の外周には弾性に富む環状のシールリップ３７が少なくとも１個形成されていることを特徴とするものである。【選択図】図１
2008180738.tif 000002
【特許請求の範囲】
【請求項１】
広口形の開口部と逆円錐台形の胴部とを有する容器本体と、前記開口部に着脱自在に冠着されるキャップ形の蓋とを具備してなり、前記開口部の内径を５０〜１００mmに設定するとともに、前記容器本体の深さを２０〜５０mmに設定してなり、前記蓋の天板の内側下面にＵ字形の断面形状を有する二重円筒状のシール部が形成され、該シール部の外周には弾性に富む環状のシールリップが少なくとも１個形成されていることを特徴とする検査用検体容器。
【請求項２】
容器本体が透明である請求項１記載の検査用検体容器。
【請求項３】
キャップ形の蓋体が透明である請求項１又は２記載の検査用検体容器。
【請求項４】
容器本体の底板下面に環状突起又は凹部を設けるとともに、蓋の上面に前記環状突起が着脱自在に嵌合する凹部又は突起を形成した請求項１〜３のいずれか１項に記載の検査用検体容器。
【発明の詳細な説明】
【技術分野】
【０００１】
本発明は検査用検体容器に関し、更に詳しくは、喀痰、唾液や細胞組織等の細胞診用検体や病変部の組織や細菌（例えば結核）等の検査用検体を採取して収容するための水密性の検査用検体容器に関するものである。
【背景技術】
【０００２】
従来のこの種の検査用検体容器においては、その開口部が狭いために、喀痰や唾液等が容器外にこぼれたり、容器の壁に付着したりする等の不都合を有していた。また、開口部が狭いため、採取した喀痰、唾液等の検体を２枚のスライドグラスに取り、すり合わせて顕微鏡標本（スメア）を作成する際にも作業がし難いという問題を有していた。
【０００３】
また、未使用の空の容器でも、それを積み重ねることができないために容器の保管に広い場所を必要とし、特に、集団検診等の場合のように多数の容器が必要な場合には不便であった。
【０００４】
さらに、検体を収容した容器も積み重ねることができないために、作業性が悪く、また輸送や冷蔵庫中での保管等に広いスペースを必要としていた。
【発明の開示】
【発明が解決しようとする課題】
【０００５】
本発明は、従来の検査用検体容器を改良して、上記のような問題点を取り除くことを目的とする。
【課題を解決するための手段】
【０００６】
上記目的を達成するために、本発明の検査用検体容器は、広口形の開口部と逆円錐台形の胴部とを有する容器本体と、前記開口部に着脱自在に冠着されるキャップ形の蓋とを具備してなり、前記開口部の内径を５０〜１００mmに設定するとともに、前記容器本体の深さを２０〜５０mmに設定してなり、前記蓋の天板の内側下面にＵ字形の断面形状を有する二重円筒状のシール部が形成され、該シール部の外周には弾性に富む環状のシールリップが少なくとも１個形成されていることを特徴とするものである（請求項１）。
【０００７】
好ましい態様としては、容器本体が透明である請求項１記載の検査用検体容器である（請求項２）。
【０００８】
好ましい態様としては、キャップ形の蓋体が透明である請求項１又は２記載の検査用検体容器である（請求項３）。
【０００９】
好ましい態様としては、前記容器本体の底板下面に環状突起又は凹部を設けるとともに、蓋の上面に前記環状突起が着脱自在に嵌合する凹部又は突起を形成した検査用検体容器である（請求項４）。これにより、蓋をした複数個の容器を上下に積み重ねたときに容器どうしが左右にずれるのを防止して、容器の積み重ねを安定させることができる。
【発明の効果】
【００１０】
本発明の容器は、開口部を広口形としたので、喀痰や唾液等の採取が容易で、喀痰や唾液等が容器外にこぼれたり、壁面に付着するといったトラブルが防止できる。また、スメアを作成する際にスライドグラスを直接容器内に入れ易く、作業性が向上する。
また、蓋の天板の内側下面にＵ字形の断面形状を有する二重円筒状のシール部が形成され、該シール部の外周には弾性に富む環状のシールリップが少なくとも１個形成されているので、シール部が開口部内に挿入されるときにシールリップが開口部の内周に接触して上向きに湾曲し、先端部が開口部内周に面接触して開口部内周との間に気密性や水密性を保つ。
また、容器本体を透明とすることにより、外部から内部の検体を容易に見ることができる。また、更に蓋体を透明とすることにより、蓋体の上方からも内部の検体を見ることができる。
【００１１】
さらに、容器本体の胴部を逆円錐台形としたので、蓋をしていない空の容器本体の胴部の下半分を他の容器本体の開口部内に挿入して容器本体どうしを低い高さで積み重ねることができる。したがって、使用時に積み重ねた容器本体を１個づつ取ることができるので作業性が良く、また容器本体の保管スペースが狭くてすむ。
【００１２】
なお、開口部の内径が５０〜１００mmの範囲外なると、喀痰、唾液等の採取が困難となり、喀痰、唾液等が容器外に洩れたり、壁面に付着する等のトラブルが発生し易く、更にスメアの作業性が悪くなり、また容器本体の深さが２０〜５０mmの範囲外となると不必要に嵩張るため、取り扱いや保管、輸送に不都合が生じ、検体の採取及び収容、取り出しに不便である。更に、スメアの作業性も低下する。
【発明を実施するための最良の形態】
【００１３】
以下、本発明の実施例を図面に基づいて説明するが、本発明は必ずしも以下の実施例に限定されるものでないことはいうまでもない。
【００１４】
実施例１
本実施例の検査用検体容器は、図１に示すように、容器本体１の開口部３にキャップ形の蓋２を着脱自在に冠着してなるものである。
【００１５】
容器本体１は、各種プラスチック、ポリエチレンフィルムをラミネートした紙等からなり、好ましくは、ポリスチレン、メタクリル樹脂、ポリプロピレン、ポリエチレン、ポリカーボネート、ポリアリレート等からなるものであって、広口形の開口部３と逆円錐台形の胴部４とを有している。
前記開口部３の外周には、雄ねじ部５が形成されるとともに、該雄ねじ部５の下側に環状のフランジ部６が形成されている。
また、前記胴部４の底板７の下面には環状突起８が形成されている。
【００１６】
なお、前記開口部３の内径Ｄは５０〜１００mmの範囲内に設定されるとともに、前記容器本体１の深さＨは２０〜５０mmの範囲内に設定されている。内径Ｄが上記範囲外となると、喀痰の採取が困難となり、喀痰が容器外に洩れたり、壁面に付着する等のトラブルが発生し易くスメアの作業性も悪くなり、また、深さＨが前記範囲外となると不必要に嵩張るため、取り扱いや保管、輸送に不都合が生じ、検体、例えば喀痰の採取及び収容、取り出しが不便であり、スメアの作業性も悪くなるので好ましくない。また、胴部４の底板７の内径ｄは３０〜５０mm程度とするのが適当である。
【００１７】
蓋２は、軟質塩化ビニル等の軟質プラスチックやシリコンゴム、天然又は合成ゴム等のエラストマー等からなり、円形の天板３２の周縁に円筒部３３が形成されるとともに、天板３２の内側下面にＵ字形の断面形状を有する二重円筒状のシール部３４が形成され、さらに天板３２の上面には容器本体１の底板７の環状突起８が着脱自在に嵌合する凹部３５が形成されている。前記円筒部３３の外周にはローレット３６が形成されている。
【００１８】
また、前記シール部３４の外周には、弾性に富む環状のシールリップ３７が少なくとも１個（図示のものは２個）形成されている。該シールリップ３７には、図２に示すような三角形の断面形状を有するもの、図３及び図４に示すような矩形の断面形状を有するもの等があり、シール部３４が開口部３内に挿入されるときにシールリップ３７が開口部３の内周に接触して上向きに湾曲し、先端部が開口部３内周に面接触して開口部３内周との間に気密性や水密性を保つ（図２の２点鎖線参照）。
【００１９】
なお、図２及び図３に示すシールリップ３７は、付け根に肉厚部３８が形成されており、気密性又は水密性の向上と寿命の延長とが図られている。
尚、本実施例において、蓋２を硬質プラスチックで作成し、シールリップ３７を設けたシートを蓋２のシール部３４の外周面に接着等により貼着することも可能である。
さらに、天板３２の上面には、容器本体１の底板７の環状突起８が着脱自在に嵌合する凹部３５が形成されている。
【００２０】
上記構成の検査用検体容器は、以下のように、保管し使用する。
【００２１】
まず、空の容器を複数個保管したり使用する場合には、図５に示すように、容器本体１から蓋２を取り外し、容器本体１の胴部４の下半部を他の容器本体１の開口部３内に挿入して上下に積み重ね、上方の容器本体１のフランジ部６の下面を下方の容器本体１の開口部３の上端面に当接させる。これにより、上下の容器本体１の胴部４の間に若干の隙間１６が生じ、上下の容器本体１の分離が容易になる。もしも、隙間１６がなくて上下の胴部４が密接していると、上下の容器本体１を分離して使用しようとする場合に、上下の底板７の間の空間が負圧になって分離に抵抗し、分離が困難になるという支障が生ずる。
【００２２】
空の容器本体１は、上記のようにして低い高さで積み重ねることができるので、保管や使用の際のスペースが狭くてすむ。
【００２３】
次に、図１に示すように、採取した検体１７を容器本体１に収容して保管するには、容器本体１の開口部３に蓋２を着脱自在に冠着する。その際、蓋２のシール部３４が開口部３内に挿入されるときにシールリップ３７が開口部３の内周に接触して上向きに湾曲し、先端部が開口部３内周に面接触して開口部３内周との間に気密性や水密性を保つので、必要の場合には容器本体１内に生理食塩水等の薬液１８を注入しておくことも可能である。
【００２４】
なお、容器本体１を透明体で構成すれば、収容した検体１７を外部から観察することができる。したがって、例えば、検体１７に血液が含まれているか否か等を視認するのに都合がよい。また、蓋体２も透明体とすることにより、蓋体２の上方からも検体１７を視認できる利点がある。
また、容器本体１の開口部３のフランジ部６は、蓋２の円筒部３３の下端面に外部の異物が当たって蓋２の螺合が弛むのを防止している。
【００２５】
さらに、前記フランジ部６は、容器本体１の胴部４を補強して胴部４の壁厚を薄くすることを可能にしており、そのため、使用済みの容器本体１を廃棄したり再利用する際に、容易に押し潰して嵩を小さくすることができ、保管や運搬効率が高められるとともに、材料を節約できるのでコストが低減される効果がある。
【００２６】
そして、上記のように検体１７を収容した容器を複数個保管するには、図１の２点鎖線で示すように、容器を上下に積み重ねて保管スペースを節約する。その際、上段の容器本体１の底板７の環状突起８を下段の容器の蓋２の上面に形成された凹部３５内に着脱自在に嵌合させる。これにより、積み重ねた容器どうしが左右にずれるのが防止され、容器の積み重ねが安定する。尚、容器本体１の底板７に凹部を設け、蓋２の上面に該凹部に嵌合する突起を設けてもよいことは勿論である。
【産業上の利用可能性】
【００２７】
本発明は、以上説明したように、容器本体の開口部を広口形としたので、検体の採取、収容が容易である。また、スメアの作業性も良好である。
【００２８】
また、蓋の天板の内側下面にＵ字形の断面形状を有する二重円筒状のシール部が形成され、該シール部の外周には弾性に富む環状のシールリップが少なくとも１個形成されているので、シール部が開口部内に挿入されるときにシールリップが開口部の内周に接触して上向きに湾曲し、先端部が開口部内周に面接触して開口部内周との間に気密性や水密性を保つ。
【００２９】
また、容器本体を透明体とすることにより、容器本体内に収容した検体を外部から観察することができる。更に、蓋体を透明体とすることにより、蓋体の上方からも検体を観察することができる。
【００３０】
また、蓋をしていない空の容器本体を低い高さで上下に複数個積み重ね可能としたので、容器本体の使用時に積み重ねられた容器本体を１個づつ取ることができるので作業性が良好となり、また保管時のスペースが狭くてすむ。そのため、特に集団検診のように多くの容器本体を必要とする場合に好都合である。
【００３１】
さらに、検体を収容して蓋をした容器を安定して上下に複数個積み重ね可能としたので、検体採取後の容器の置き場所や、容器の輸送や冷蔵庫内での保管等に広いスペースを必要としない。
【００３２】
さらにまた、容器本体の開口部の内径を５０〜１００mmに限定するとともに、容器本体の深さを２０〜５０mmに限定したので、検体を採取、収容したり、取り出す際の操作やスメアの操作が容易且つ効率的である。
【図面の簡単な説明】
【００３３】
【図１】本発明の実施例１を示す検査用検体容器の要部切欠き正面図である。
【図２】蓋のシールリップの一例を示す断面図である。
【図３】蓋のシールリップの他の例を示す断面図である。
【図４】蓋のシールリップのさらに他の例を示す断面図である。
【図５】実施例１における蓋を取り外した空の容器本体を上下に積み重ねた状態を示す要部断面図である。
【符号の説明】
【００３４】
１  容器本体
２  蓋
３  開口部
４  胴部
５  雄ねじ部
６  フランジ部
７  底板
８  環状突起
１６  隙間
１７  検体
１８  薬液
３２  天板
３３  円筒部
３４  シール部
３５  凹部
３６  ローレット
３７  シールリップ
３８  肉厚部
Ｄ  開口部の内径
Ｈ  容器本体の深さ
【図１】
2008180738.tif 000003
【図２】
2008180738.tif 000004
【図３】
2008180738.tif 000005
【図４】
2008180738.tif 000006
【図５】
2008180738.tif 000007